(57)【特許請求の範囲】
【請求項１】
底面板の各端辺に、左右両端に舌片を連設した１対の側面板と１対の側面板とを、それぞれ折り目線を介して連設して、一方を開口した直方箱体状に製箱した段ボールケースにおいて、１対の側面板の舌片が連設された端辺近傍に、屈曲部が向合うように切れ目線をそれぞれ設けるとともに、それら側面板の端縁中央に、ガイド切れ目を設け、さらに残る１対の側面板の端縁中央に、繋止切れ目を設けたことを特徴とする段ボールケース。
【発明の詳細な説明】
【０００１】
【発明の属する技術分野】
本発明は、お中元用やお歳暮用などの贈答箱のように、一方を開口した直方箱体状の紙箱において、使用した後の廃棄時に、嵩張らないように容易に解体することができる、廃棄時の処理、処分が容易な段ボールケースに関する。
【０００２】
【従来の技術】
従来から、お中元用やお歳暮用などの贈答箱のように、図示していない一方を開口した直方箱体状の段ボールケースが、一般に広く用いられているものの、段ボールケースが丈夫で強度があるために、使用した後の廃棄の際、嵩張らないように２つ折りするなどの解体作業が、家庭の主婦などにとって容易なことではなかった。
【０００３】
また、図２に示すように、解体しやすくする為に、側面板から底面板にわたって、２つ折りするための折り目線を設けた段ボールケースが考案されてきた。
【０００４】
【発明が解決しようとする課題】
ところが従来の、図２に示す段ボールケースについては、側面板から底面板にわたって、解体する際に２つ折りする為の、折り目線が形成されている為、持ち運びの際など、収納物の重量によっては、折り目線をきっかけとして段ボールケースが変形するなどして、収納物が段ボールケースから散乱してしまう恐れがあり、強度面および外観を損なうなどの問題があった。
【０００５】
ところで、本発明の目的は、お中元用やお歳暮用などの贈答箱のように、一方を開口した直方箱体状の紙箱において、使用した後の廃棄時に、嵩張らないように２つ折りするなど容易に解体することができる、廃棄時の処理、処分が容易な段ボールケースであって、お中元用やお歳暮用などの贈答箱として使用中の、取扱い強度と展示効果とに問題が生じにくい段ボールケースを提供することにある。
【０００６】
【課題を解決するための手段】
本発明の段ボールケースは、図１Ａに示すように、長方形の底面板２の各端辺に、左右両端に舌片４,４を連設した１対の長寸の側面板３,３と１対の短寸の側面板５,５とを、それぞれ折り目線(符号がない１点鎖線、以下同じ)を介して連設して、図１Ｂに示すように、一方を開口した直方箱体状に製箱した段ボールケースにおいて、１対の長寸の側面板３,３の舌片４,４を連設した両端近傍に、ほゞＶ字状の切れ目線ａ,ａを屈曲部が向合うようにそれぞれ設けて、また１対の長寸の側面板３,３の端縁中央に、縦のガイド切れ目ｂ,ｂを設けて、さらに１対の短寸の側面板５,５の端縁中央に、"く"の字状の繋止切れ目ｃ,ｃを設けた段ボールケースである。
【０００７】
本発明の段ボールケースにおいては、１対の長寸の側面板３,３の舌片４,４を連設した両端近傍に、ほゞＶ字状の切れ目線ａ,ａを屈曲部が向合うようにそれぞれ設けたことによって、使用した後の廃棄時に、ほゞＶ字状の切れ目線の屈曲部を強く押込むだけで、簡単にほゞＶ字状の切れ目線ａ,ａ,ａ,ａを切断して、図１Ｃに示すように、側面板３,３,５,５を平板状に開くことができて、しかも贈答箱として使用中には、側面板３,３と(舌片４,４,４,４を貼着するなどした)側面板５,５との連設部分の、一番力がかかる側面板３,３の両端を避けて、側面板３,３の舌片４,４を連設した両端近傍にそれぞれ設けたために、また縦方向の直線的な切れ目線とは異なって、ほゞＶ字状の切れ目線ａ,ａを屈曲部が向合うようにそれぞれ設けたために、このほゞＶ字状の切れ目線ａ,ａ,ａ,ａが切断する恐れが少ないものである。
【０００８】
また、本発明の段ボールケースにおいては、１対の長寸の側面板３,３の端縁中央に、縦のガイド切れ目ｂ,ｂを設けたことによって、使用した後の廃棄時に、前述した図１Ｃに示す側面板３,３,５,５を平板状に開いた状態で、この縦のガイド切れ目ｂ,ｂを切っ掛けにして、側面板３,３と底面板２とを、図１Ｄに示すように、簡単に嵩張らないように２つ折りすることができて、しかも贈答箱として使用中には、前述した図２に示す連続した縦の折り目線ｅに比べて、この縦のガイド切れ目ｂ,ｂが目立たないために、体裁を損なう恐れが少ないものである。
【０００９】
さらに、本発明の段ボールケースにおいては、１対の短寸の側面板５,５の端縁中央に、"く"の字状の繋止切れ目ｃ,ｃを設けたことによって、使用した後の廃棄時に、前述した図１Ｄに示す嵩張らないように２つ折りした状態で、この"く"の字状の繋止切れ目ｃ,ｃの屈凸部どうしを引っ掛けるだけで、簡単に側面板５,５を戻らないように繋止することができるために、嵩張らないように２つ折りした段ボールケースに、紐掛けなどの作業を必要としないものである。
【００１０】
【発明の実施の形態】
本発明の実施の形態における、図１Ａは、段ボールケースのブランクの平面図であって、また図１Ｂは、段ボールケースを、一方を開口した直方箱体状に製箱した状態を示す斜視図であって、さらに図１Ｃ,Ｄは、使用した後の廃棄時に、段ボールケースの側面板３,３,５,５を平板状に開いて、嵩張らないように２つ折りした状態を示す斜視図である。
【００１１】
本実施の形態の段ボールケースは、長方形の底面板２の各端辺に、左右両端に舌片４,４を連設した１対の長寸の側面板３,３と１対の短寸の側面板５,５とを、それぞれ折り目線を介して連設して、一方を開口した直方箱体状に製箱した段ボールケースにおいて、１対の長寸の側面板３,３の舌片４,４を連設した両端近傍に、ほゞＶ字状の切れ目線ａ,ａを屈曲部が向合うようにそれぞれ設けて、また１対の長寸の側面板３,３の端縁中央に、縦のガイド切れ目ｂ,ｂを設けて、さらに１対の短寸の側面板５,５の端縁中央に、"く"の字状の繋止切れ目ｃ,ｃを設けた段ボールケースである。
【００１２】
本実施の形態の、長方形の底面板２の各端辺に、左右両端に舌片４,４を連設した１対の長寸の側面板３,３と１対の短寸の側面板５,５とを、それぞれ折り目線を介して連設して、一方を開口した直方箱体状に製箱した段ボールケースについては、まず長方形の底面板２の各端辺に、左右両端に舌片４,４を連設した１対の長寸の側面板３,３と１対の短寸の側面板５,５とを、それぞれ折り目線を介して連設した、図１Ａに示す段ボールケースのブランクであって、通常の厚さ１.６ｍｍのＥ段ボール紙を用いて、通常の打抜型を用いた打抜工程で、無駄が少ない長方形状の段ボールケースのブランクを作製して、次に通常の機械的な製箱工程で、図１Ａに示す段ボールケースのブランクの、全ての符号がない１点鎖線で示す折り目線を山折りして、側面板５,５の両端部に舌片４,４,４,４を貼着(又は針金止め)して、縦、横、高さが２２５×４００×７５ｍｍの、図１Ｂに示す一方を開口した直方箱体状に製箱したものである。
【００１３】
本実施の形態の、１対の長寸の側面板３,３の舌片４,４を連設した両端近傍に屈曲部が向合うようにそれぞれ設けた、ほゞＶ字状の切れ目線ａ,ａについては、使用した後の廃棄時に、ほゞＶ字状の切れ目線の屈曲部を強く押込むだけで、簡単にほゞＶ字状の切れ目線ａ,ａ,ａ,ａを切断して、図１Ｃに示すように、側面板３,３,５,５を平板状に開くことができるような、しかも贈答箱として使用中には、このほゞＶ字状の切れ目線ａ,ａ,ａ,ａが切断する恐れが少ないような、それぞれの切断方向上流が内側に屈曲した少し粗い目立たないミシン目状(ジッパー線と通称する)などの、両端の間隔が７５ｍｍで屈曲部の内角が９０度程度のほゞＶ字状の切れ目線ａ,ａを、側面板３,３と両端部に舌片４,４,４,４を貼着(又は針金止め)した側面板５,５との連設部分の、一番力がかかる側面板３,３の両端を避けて、側面板３,３の舌片４,４を連設した両端とほゞＶ字状の切れ目線の両端との距離が２〜５ｍｍの近傍に、前述した打抜型を用いた打抜工程で、同時に打抜型を修正して屈曲部が向合うようにそれぞれ設けることができる。
【００１４】
また本実施の形態の、１対の長寸の側面板３,３の端縁中央に設けた、縦のガイド切れ目ｂ,ｂについては、使用した後の廃棄時に、前述した図１Ｃに示す側面板３,３,５,５を平板状に開いた状態で、この縦のガイド切れ目ｂ,ｂを切っ掛けにして、側面板３,３と底面板２とを、図１Ｄに示すように、簡単に嵩張らないように２つ折りすることができるような、しかも贈答箱として使用中には、縦のガイド切れ目ｂ,ｂが目立たないような、目が２〜３個の少し粗いミシン目状などの、２〜３ｃｍの縦のガイド切れ目ｂ,ｂを、１対の長寸の側面板３,３の端縁中央に、同様に打抜型を修正して設けることができる。
【００１５】
さらに本実施の形態の、１対の短寸の側面板５,５の端縁中央に設けた、"く"の字状の繋止切れ目ｃ,ｃについては、使用した後の廃棄時に、前述した図１Ｄに示す嵩張らないように２つ折りした状態で、"く"の字状の繋止切れ目ｃ,ｃの屈凸部どうしを引っ掛けるだけで、簡単に側面板５,５を戻らないように繋止することができるような、しかも、この"く"の字状の繋止切れ目ｃ,ｃの屈凸部どうしの繋止が完全で外れる恐れが少なくて、紐掛けなどの作業を必要としないような、少し粗い目立たないミシン目状などの、高さが３ｃｍ程度で屈凸部の内角が１２０度程度の"く"の字状の繋止切れ目ｃ,ｃを、１対の短寸の側面板５,５の端縁中央に、同様に打抜型を修正して設けることができる。
【００１６】
本実施の形態の段ボールケースにおいては、使用した後の廃棄時に、ほゞＶ字状の切れ目線の屈曲部を強く押込むだけで、簡単にほゞＶ字状の切れ目線ａ,ａ,ａ,ａを切断して、図１Ｃに示すように、側面板３,３,５,５を平板状に開くことができて、縦のガイド切れ目ｂ,ｂを切っ掛けにして、側面板３,３と底面板２とを、図１Ｄに示すように、簡単に嵩張らないように２つ折りすることができて、"く"の字状の繋止切れ目ｃ,ｃの屈凸部どうしを引っ掛けるだけで、簡単に側面板５,５を戻らないように繋止することができる、廃棄時の処理、処分が容易な段ボールケースであって、しかも贈答箱として使用中には、側面板３,３と側面板５,５との連設部分の、一番力がかかる側面板３,３の両端を避けてそれぞれ設けたために、ほゞＶ字状の切れ目線ａ,ａ,ａ,ａが切断する恐れが少ない段ボールケースであって、縦のガイド切れ目ｂ,ｂが目立たないために、体裁を損なう恐れが少ない段ボールケースを得ることができた。
【００１７】
【発明の効果】
以上、実施の形態ほかに示すとおり、本発明の段ボールケースにおいては、使用した後の廃棄時に、ほゞＶ字状の切れ目線ａ,ａ,ａ,ａを切断して、側面板３,３,５,５を平板状に開いて、縦のガイド切れ目ｂ,ｂを切っ掛けにして、側面板３,３と底面板２とを、簡単に嵩張らないように２つ折りして、"く"の字状の繋止切れ目ｃ,ｃの屈凸部どうしを引っ掛けて、側面板５,５を戻らないように繋止することができる、お中元用やお歳暮用などの贈答箱のように、一方を開口した直方箱体状の、廃棄時の処理、処分が容易な段ボールケースであって、しかも贈答箱として使用中に、ほゞＶ字状の切れ目線ａ,ａ,ａ,ａが切断する恐れが少ない、また縦のガイド切れ目ｂ,ｂが体裁を損なう恐れが少ない、取扱い強度と展示効果とに問題が生じにくい段ボールケースを提供することができる。
【図面の簡単な説明】
【図１】本発明の実施の形態における、図１Ａは、段ボールケースのブランクの平面図であって、また図１Ｂは、段ボールケースを、一方を開口した直方箱体状に製箱した状態を示す斜視図であって、さらに図１Ｃ,Ｄは、使用した後の廃棄時に、段ボールケースの側面板３,３,５,５を平板状に開いて、嵩張らないように２つ折りした状態を示す斜視図である。
【図２】図２Ａは、従来の段ボールケースのブランクの平面図であって、また図２Ｂは、従来の段ボールケースを、一方を開口した直方箱体状に製箱した状態を示す斜視図である。
【符号の説明】
２     …底面板
３,５  …側面板
４     …舌片
ａ     …切れ目線
ｂ     …ガイド切れ目
ｃ     …繋止切れ目
ｄ,ｅ  …折り目線
【図１】
0004419266.tif 000002
【図２】
0004419266.tif 000003